(57)【要約】【課題】可動接点の耐久性を維持しつつ、中電流や大電流を流すことのできるコンタクトスイッチ及びその製造方法を提供する。【解決手段】弾性クリック体１に、回路基板１０の電気回路の導電部である電極１１に接離する導電性の可動接点２０を設けたスイッチであり、弾性クリック体１を熱硬化性エラストマーにより成形し、可動接点２０を、熱可塑性エラストマーを除く熱可塑性樹脂とカーボン材とを配合・混合した材料により形成する。可動接点２０の材料としてシリコーンゴムを用いるのではなく、熱可塑性樹脂を用いて黒鉛粒子と混合するので、熱可塑性樹脂が溶融して黒鉛粒子を被包することとなる。したがって、黒鉛粒子の配合量を増加させ、接触抵抗値を低くすることができるので、小電流の他、中電流や大電流の給電に支障を来すことがない。【選択図】  図１
2019091627.tif 000002
【特許請求の範囲】
【請求項１】
弾性クリック体に、電気回路の導電部に接離する導電性の可動接点が設けられるコンタクトスイッチであり、
可動接点は、熱可塑性樹脂とカーボン材とを配合した材料により形成されることを特徴とするコンタクトスイッチ。
【請求項２】
弾性クリック体と可動接点とがインサート成形により一体化される請求項１記載のコンタクトスイッチ。
【請求項３】
弾性クリック体は、電気回路の導電部に間隔をおいて対向する被操作部と、この被操作部から電気回路の導電部方向に伸びる弾性変形可能な脚部と、この脚部の端部分に形成される姿勢安定部とを含み、シリコーンゴム、フッ素ゴム、ウレタンゴムのいずれかにより成形され、被操作部に可動接点が設けられる請求項１又は２記載のコンタクトスイッチ。
【請求項４】
可動接点の材料の熱可塑性樹脂とカーボン材とは、質量比１：１〜１４で混合される請求項１、２、又は３記載のコンタクトスイッチ。
【請求項５】
可動接点の材料の熱可塑性樹脂は、エンジニアリングプラスチックとスーパーエンジニアリングプラスチックのいずれかとされる請求項１ないし４のいずれかに記載のコンタクトスイッチ。
【請求項６】
可動接点の電気回路の導電部に接離する接離面に、凹凸が形成される請求項１ないし５のいずれかに記載のコンタクトスイッチ。
【請求項７】
可動接点の電気回路の導電部に接離する接離面に、弾性の導電層が積層される請求項１ないし６のいずれかに記載のコンタクトスイッチ。
【請求項８】
請求項１ないし７のいずれかに記載のコンタクトスイッチの製造方法であり、熱可塑性樹脂とカーボン材とを混合して可動接点用の材料を調製し、この材料を金型に充填して可動接点用の中間品を成形するとともに、この中間品を加工して可動接点を形成し、
弾性クリック体用の成形金型に可動接点をインサートした後、弾性クリック体用の成形金型により、弾性クリック体と可動接点とを一体成形することを特徴とするコンタクトスイッチの製造方法。
【請求項９】
可動接点用の材料を中間品用の金型の下型に充填し、この下型を押圧して気体を排出し、下型に金型の上型を型締めして予備加熱加圧した後、本加熱加圧して可動接点用の中間品を成形する請求項８記載のコンタクトスイッチの製造方法。
【発明の詳細な説明】
【技術分野】
【０００１】
本発明は、計算機、自動車、情報関連機器やそのリモコン等の入力デバイスとして利用されるコンタクトスイッチ及びその製造方法に関するものである。
【背景技術】
【０００２】
近年の自動車には、快適化や高機能化を図るため、様々なスイッチが利用されているが、例えばオーディオスイッチ、ステアリングスイッチ、ミラースイッチ等には、クリック感に優れるコンタクトスイッチが部品として使用されている。この種のコンタクトスイッチは、図示しないが、変形可能な弾性クリック体と、この弾性クリック体に設けられて回路基板の導電部である電極に対向・接離する導電性の可動接点とを備え、指等の押圧操作により、ＯＮ・ＯＦＦ機能を発揮する（特許文献１、２参照）。
【０００３】
可動接点は、所定の材料によりシートが成形され、このシートが加工されることで平面円形等に形成された後、弾性クリック体に設けられる。この可動接点の材料は、一般的には温度特性・環境特性・電気特性等に優れる絶縁性のシリコーンゴムに、導電性に優れるカーボンブラックが分散することで調製される。
【先行技術文献】
【特許文献】
【０００４】
【特許文献１】特開２００２‐２３１０９９号公報
【特許文献２】特開平７‐３３９６５号公報
【発明の概要】
【発明が解決しようとする課題】
【０００５】
従来におけるコンタクトスイッチは、以上のように構成され、可動接点の材料としてシリコーンゴムとカーボンブラックとが使用されるが、可動接点の耐久性を確保する観点から、シリコーンゴムとカーボンブラックの質量比が１：０．５〜０．６前後に設定される必要がある。
【０００６】
しかしながら、このような質量比では、可動接点の長期に亘る耐久性を確保することはできるものの、カーボンブラックの配合量が少ないので、接触抵抗値が高くなる。したがって、小電流を給電することはできても、中電流や大電流の給電に支障を来し、自動車等の電子システムの複雑化やＥＣＵの大規模化に対応することができないという問題が生じる。
【０００７】
本発明は上記に鑑みなされたもので、可動接点の耐久性を維持し、中電流や大電流を流すことのできるコンタクトスイッチ及びその製造方法を提供することを目的としている。
【課題を解決するための手段】
【０００８】
本発明においては上記課題を解決するため、弾性クリック体に、電気回路の導電部に接離（接触したり、離れたり）する導電性の可動接点が設けられるスイッチであり、
可動接点は、熱可塑性樹脂とカーボン材とを配合した材料により形成されることを特徴としている。
【０００９】
なお、弾性クリック体と可動接点とがインサート成形により一体化されるようにすることができる。
また、弾性クリック体は、電気回路の導電部に間隔をおいて対向する被操作部と、この被操作部から電気回路の導電部方向に伸びる弾性変形可能な脚部と、この脚部の端部分に形成される姿勢安定部とを含み、シリコーンゴム、フッ素ゴム、ウレタンゴムのいずれかにより成形され、被操作部に可動接点が設けられると良い。
【００１０】
また、可動接点の材料の熱可塑性樹脂とカーボン材とは、質量比１：１〜１４で混合されると良い。
また、可動接点の材料の熱可塑性樹脂は、エンジニアリングプラスチックとスーパーエンジニアリングプラスチックのいずれかとされることが好ましい。
【００１１】
また、可動接点の電気回路の導電部に接離する接離面に、凹凸が形成されるようにすることができる。
また、可動接点の電気回路の導電部に接離する接離面に、弾性の導電層が積層されるようにすることができる。
【００１２】
また、本発明においては上記課題を解決するため、請求項１ないし７のいずれかに記載のコンタクトスイッチの製造方法であり、
熱可塑性樹脂とカーボン材とを混合して可動接点用の材料を調製し、この材料を金型に充填して可動接点用の中間品を成形するとともに、この中間品を加工して可動接点を形成し、
弾性クリック体用の成形金型に可動接点をインサートした後、弾性クリック体用の成形金型により、弾性クリック体と可動接点とを一体成形することを特徴としている。
【００１３】
なお、可動接点用の材料を中間品用の金型の下型に充填し、この下型を押圧して気体を排出し、下型に金型の上型を型締めして予備加熱加圧した後、本加熱加圧して可動接点用の中間品を成形することができる。
【００１４】
ここで、特許請求の範囲における弾性クリック体は、クリック感を生じさせても良いし、そうでなくても良い。電気回路には、電気回路の他、電子回路が含まれる。また、熱可塑性樹脂は、熱可塑性エラストマーを除く熱可塑性の樹脂であることが好ましい。カーボン材には、少なくともカーボンブラック、アセチレンブラック、ファーネスブラック、チャンネルブラック、ケッチェンブラック、サーマルブラック、カーボングラファイト、カーボンナノチューブ、カーボンナノファイバー等が含まれる。カーボングラファイトは、アモルファス系でも良いし、ニードル系でも良い。さらに、混合という用語には、混練が含まれる。
【００１５】
本発明によれば、可動接点の材料としてシリコーンゴムを用いるのではなく、熱可塑性樹脂、より詳しくは、熱可塑性エラストマーを除く熱可塑性樹脂を用いるので、熱可塑性樹脂が溶融してカーボン材を被覆することとなる。したがって、カーボン材の添加量を増加させ、抵抗値を抑制することができる。
【発明の効果】
【００１６】
本発明によれば、可動接点を、熱可塑性樹脂とカーボン材とを配合した材料により形成するので、可動接点の耐久性を維持し、小電流の他、中電流や大電流を流すことができるという効果がある。
【図面の簡単な説明】
【００１７】
【図１】本発明に係るコンタクトスイッチの実施形態を模式的に示す断面説明図である。
【図２】本発明に係るコンタクトスイッチの実施形態における可動接点を模式的に示す斜視説明図である。
【図３】本発明に係るコンタクトスイッチの第２の実施形態における可動接点を模式的に示す断面説明図である。
【図４】本発明に係るコンタクトスイッチの第２の実施形態における可動接点を模式的に示す図で、（ａ）図は可動接点の接離面の格子部を示す平面図、（ｂ）図は可動接点の接離面の円形部を示す平面図、（ｃ）図は可動接点の接離面の帯部を示す平面図である。
【図５】本発明に係るコンタクトスイッチの第３の実施形態における可動接点を模式的に示す斜視説明図である。
【発明を実施するための形態】
【００１８】
以下、図面を参照して本発明の好ましい実施の形態を説明すると、本実施形態におけるコンタクトスイッチは、図１や図２に示すように、変形可能な弾性クリック体１に、回路基板１０の電気回路の導電部である電極１１に接離する導電性の可動接点２０を設けたスイッチであり、可動接点２０を、所定の熱可塑性樹脂とカーボン材とを配合・混合した材料により形成するようにしている。
【００１９】
弾性クリック体１は、図１に示すように、回路基板１０の電極１１に間隔（空気層）をおいて上方から対向する柱形の被操作部２と、この被操作部２の下部から回路基板１０の電極１１方向に傾きながら伸びる弾性変形可能な脚部３と、この脚部３の下端部に一体形成される肉厚の姿勢安定部４とを備え、絶縁性の熱硬化性エラストマーにより成形される。
【００２０】
被操作部２は、例えば指Ｆの大きさに配慮した背の低いφ１０ｍｍ以上の円柱形（ボタン形でもある）に形成され、略平坦な下面に可動接点２０が熱成形で一体化される。また、脚部３は、例えば中空の円錐台形に形成され、被操作部２の下部周縁から回路基板１０の電極１１方向に徐々に広がりながら伸長する。姿勢安定部４は、断面略矩形に形成され、回路基板１０に嵌合あるいは圧接されて被操作部２の姿勢を安定させるよう機能する。この姿勢安定部４の下面には、弾性クリック体１の弾性変形時に脚部３内の空気を外部に排出するエア溝が脚部３の径方向（図１の左右方向）に切り欠かれる。
【００２１】
弾性クリック体１を成形する熱硬化性エラストマーとしては、ソフトなクリック感・圧縮特性・温度特性・環境特性・電気特性等に優れるシリコーンゴム、耐熱性・耐候性に優れるフッ素ゴム、機械的強度に優れるウレタンゴムがあげられる。これらの中では、操作音を抑制し、高荷重、高ストローク、高フィーリングが可能なシリコーンゴムが最適である。また、弾性クリック体１の硬度は、良好なクリック感を得る観点から、ＪＩＳ  Ｋ６２５３にしたがうタイプＡデュロメータ硬さでＡ２０〜Ａ８０、好ましくはＡ３０〜Ａ７５、より好ましくはＡ４０〜Ａ７０の範囲とされる。
【００２２】
このような弾性クリック体１は、被操作部２が指Ｆで押圧操作されると、脚部３が座屈変形し、被操作部２下面の可動接点２０が回路基板１０の電極１１に下降して面接触する。これに対し、被操作部２から指Ｆが離れると、座屈変形した脚部３が復元し、被操作部２下面の可動接点２０が回路基板１０の電極１１から上方に離隔する。
【００２３】
回路基板１０は、図１に示すように、表面に電気回路が印刷法やエッチング法等によりパターン形成され、平面円形や櫛歯形等の電極１１が複数形成される。この電極１１の材質としては、特に限定されるものではないが、例えば、金、銀、銅、ニッケル、クロム、アルミニウム、導電ペースト、カーボンナノチューブ、カーボンナノファイバー、導電性ポリマー等があげられる。
【００２４】
可動接点２０は、図１や図２に示すように、所定の材料により平面矩形の平坦な薄いシートが中間品として成形され、この中間品であるシートが加工されることで平面円形の薄板に打ち抜き形成された後、弾性クリック体１の被操作部２下面にインサート成形により一体化される。この可動接点２０の所定の材料としては、熱可塑性エラストマーを除く熱可塑性樹脂と黒鉛粒子（カーボングラファイト）とが配合・混合した材料があげられる。
【００２５】
熱可塑性樹脂としては、特に限定されるものではないが、弾性クリック体１と可動接点２０の一体成形時の温度に配慮して１５０℃以上の高い融点のエンジニアリングプラスチック、換言すれば、スーパーエンジニアリングプラスチックが使用されることが好ましい。具体的には、剛性・寸法安定性・耐熱性・耐薬品性・耐候性・疲労特性等に優れる粉末のポリフェニレンスルフィド（ＰＰＳ）樹脂等が使用されることが好ましい。但し、スーパーエンジニアリングプラスチックのみに限定されるものではなく、汎用樹脂の使用も可能である。汎用樹脂が使用される場合には、強度・耐熱性等に優れる粉末のポリプロピレン（ＰＰ）樹脂の採用が好ましい。
【００２６】
黒鉛粒子は、導電性に優れるのであれば、特に限定されるものではないが、例えば平均粒径３７μｍ・最大粒径３５０μｍ、平均粒径１８μｍ・最大粒径１７６μｍ、平均粒径５２μｍ・最大粒径３５０μｍのタイプ等が使用される。
【００２７】
熱可塑性樹脂と黒鉛粒子とは、可動接点２０の耐久性と、接触抵抗値を低減して中電流や大電流を給電することとの両立を図るため、質量比１：１〜１４、好ましくは１：１〜１３、より好ましくは１：２〜１３、さらに好ましくは１：３〜１３の範囲で攪拌・混合される。
【００２８】
上記において、コンタクトスイッチを製造する場合には、先ず、可動接点２０を製造するため、粉末の熱可塑性樹脂と黒鉛粒子とをタンブラーボトルに多数のジルコニアボールと共に加え、配合機により所定の時間、攪拌・混合し、可動接点２０用の材料を調製する。こうして可動接点２０用の材料を調製したら、離型剤を予め塗布されたシート成形用の金型の下型に材料を充填し、この材料をスクレーバで平らに広げてならし、下型をプッシャで軽く押圧してエアを外部に抜いた後、下型に金型の上型を嵌合してプレス機で予備加熱加圧する。
【００２９】
次いで、予備加熱加圧の終了後、本加熱加圧して可動接点２０用の薄いシートを成形し、金型を所定の時間冷却し、金型から厚さ０．１０〜５．００ｍｍ程度の薄いシートを脱型する。これらの作業の際、プレス機で直ちに本加熱加圧しても良いが、予備加熱加圧することが好ましい。予備加熱加圧すれば、可動接点２０の低温割れの防止、硬化組織の生成防止、延性・じん性等の機械的性質の向上、変形・残留応力の低減を図ることができる。シートを脱型したら、シートをパンチングしてφ１．５０〜５．００ｍｍ程度に打ち抜けば、表裏面が平坦な薄い平面円形の可動接点２０を製造することができる。
【００３０】
次いで、弾性クリック体１用の成形金型に可動接点２０をインサートし、成形金型を型締めして熱硬化性エラストマーを充填し、弾性クリック体１と可動接点２０とを一体成形してコンタクトスイッチを製造する。コンタクトスイッチを製造したら、専用金型を所定の時間冷却し、金型からコンタクトスイッチを脱型すれば、コンタクトスイッチを得ることができる。
【００３１】
上記によれば、可動接点２０の材料としてシリコーンゴムを用いるのではなく、熱可塑性樹脂を用いて黒鉛粒子と混合するので、熱可塑性樹脂が溶融して黒鉛粒子を被包することとなる。したがって、黒鉛粒子の配合量を増加させ、可動接点２０の接触抵抗値を著しく低くすることができるので、小電流の他、中電流や大電流の給電に支障を来すことがない。
【００３２】
また、シリコーンゴムを用いるのではなく、熱可塑性樹脂を用いるので、脂肪酸エステルの浸透による接点障害の低減が大いに期待できる。また、中電流や大電流を給電することができるので、自動車等の電子システムの複雑化やＥＣＵの大規模化に容易に対応することができる。また、可動接点２０に下地メッキや金メッキを何ら施す必要がないので、製造コストの低減が可能となる。さらに、金属接点に比べ、非腐食性を向上させることが可能になる。
【００３３】
次に、図３と図４は本発明の第２の実施形態を示すもので、この場合には、回路基板１０の電極１１に接離する可動接点２０の接離面に、凹凸２１を形成して絶縁性の異物による導通不良を回避するようにしている。
【００３４】
凹凸２１は、図３に示すように、例えば複数の凹部２２と凸部２３とが交互に配列されることで形成される。また、図４（ａ）に示すように、可動接点２０の平坦な接離面に、平面格子形の格子部２４が形成され、この縦横に組み合わされた格子部２４が可動接点２０の厚さ方向に突出したり、凹むことで形成される。
【００３５】
また、図４（ｂ）に示すように、可動接点２０の平坦な接離面に、平面円形の複数の円形部２５が所定の間隔で配列形成され、この複数の円形部２５が可動接点２０の厚さ方向に突出したり、凹むことで形成される。また、図４（ｃ）に示すように、可動接点２０の平坦な接離面に、平面帯形の複数の帯部２６が所定の間隔で配列形成され、この複数の帯部２６が可動接点２０の厚さ方向に突出したり、凹むことでも形成される。
【００３６】
このような凹凸２１は、凹部２２が絶縁性の異物（例えば、弾性クリック体１の一部等）を収容可能な大きさに形成され、凹部２２に異物を収容することにより、回路基板１０の電極１１と可動接点２０との間に異物が介在して導電性が低下するのを防止するよう機能する。その他の部分については、上記実施形態と同様であるので説明を省略する。
【００３７】
本実施形態においても上記実施形態と同様の作用効果が期待でき、しかも、弾性クリック体１が長期使用されてその一部が落下して異物となり、この異物が回路基板１０の電極１１と可動接点２０との間に介在して導通不良を招くのを有効に防止することができるのは明らかである。
【００３８】
次に、図５は本発明の第３の実施形態を示すもので、この場合には、回路基板１０の電極１１に接離する可動接点２０の接離面に、弾性変形可能な導電層２７を積層接着して絶縁性の異物による接触不良を回避するようにしている。
【００３９】
導電層２７は、例えば導電性のインク、ゴム、薄膜等により、絶縁性の異物を吸収可能な厚さの板材に形成され、異物との接触時に凹んで異物を吸収することにより、回路基板１０の電極１１と可動接点２０との間に異物が介在して導電性が低下するのを防止するよう機能する。その他の部分については、上記実施形態と同様であるので説明を省略する。
【００４０】
本実施形態においても上記実施形態と同様の作用効果が期待でき、しかも、異物が回路基板１０の電極１１と可動接点２０との間に介在して接触不良が生じるのを有効に防止することができるのは明白である。
【００４１】
なお、上記実施形態では弾性クリック体１と可動接点２０とを一体成形したが、何らこれに限定されるものではない。例えば、弾性クリック体１と可動接点２０とを別々に成形し、弾性クリック体１の被操作部２に可動接点２０を熱圧着したり、接着剤により接着してコンタクトスイッチを製造しても良い。また、弾性クリック体１と可動接点２０との間に、エラストマー層やプライマー層等を介在させても良い。また、弾性クリック体１と回路基板１０は、導体である指Ｆと電極１１との間に静電容量を形成する静電容量型入力装置の一部でも良い。
【００４２】
また、予備加熱加圧の際、金型をバンピングしてガス抜きすることができる。また、弾性クリック体１の被操作部２や脚部３は、必要に応じ、適宜変更することができる。また、弾性クリック体１は、クリック感を生じさせない逆碗形等に形成することができる。また、可動接点２０を平面円形の他、平面楕円形、矩形、多角形等に形成することが可能である。また、可動接点２０に各種の表面処理、例えばＵＶ処理、プラズマ処理、コロナ処理、イトロ処理等を施すことが可能である。さらに、可動接点２０の平坦な接離面に導電層２７を積層接着したが、可動接点２０の接離面に導電層２７をスパッタリング法等により積層することができる。
【実施例】
【００４３】
以下、本発明に係るコンタクトスイッチの実施例を説明する。
〔実施例１〕
コンタクトスイッチの可動接点を製造するため、先ず、粉末のポリフェニレンスルフィド樹脂〔東レ株式会社製：製品名Ｅ２１８０〕４．２ｋｇと、粉末の黒鉛粒子〔オリエンタル産業株式会社製：製品名ＡＴ‐Ｎｏ．５Ｓ〕１３．８６ｋｇとを６０Ｌタンブラーボトル〔株式会社セイワ技研製〕に多数のジルコニアボール〔株式会社ニッカトー製〕と共に加え、配合機〔株式会社セイワ技研製：製品名ＴＭ‐６０Ｐ〕により、回転数３０ｒｐｍ（４０Ｈｚ）、６０分の条件で攪拌・混合し、可動接点用の材料を調製した。
【００４４】
ポリフェニレンスルフィド樹脂は、粉体技研株式会社にて１５０ｍｅｓｈの通過サイズに冷凍粉砕したタイプを用いた。また、ポリフェニレンスルフィド樹脂と黒鉛粒子の質量比は、１：３．３に設定した。ジルコニアボールは、φ９ｍｍサイズとφ５ｍｍサイズをそれぞれ９ｋｇ、合計１８ｋｇ用いた。
【００４５】
可動接点用の材料を調製したら、離型剤〔ダイキン工業株式会社製：製品名ＧＡ‐７５００〕が予め噴霧されたシート成形用の金型の下型に材料２５ｇを充填し、この材料をスクレーバで平らに広げてならし、下型をプッシャで軽く押圧してエアを外部に抜いた後、下型に金型の上型を嵌合して１３０ｔのプレス機で予備加熱加圧した。金型は、Ｓ４５Ｃ材により、１６６×１２３ｍｍの大きさに構成した。また、プレス機は、その上熱板を３８０℃、下熱板を４４０℃に設定した。
【００４６】
次いで、予備加熱加圧の終了後、本加熱加圧して可動接点用のシートを成形し、金型を冷却した後、金型からシートを脱型した。予備加熱加圧は、面圧１２１ｋｇ／ｃｍ２、４分間の条件で実施した。これに対し、本加熱加圧は、面圧６３７ｋｇ／ｃｍ２、４分間の条件で実施した。また、金型の冷却は、面圧６３７ｋｇ／ｃｍ２、１５分間の条件で実施した。脱型したシートは、測定したところ、１６６×１２３×０．５ｔｍｍの大きさの平板であった。こうしてシートを脱型したら、シートをポンチにより打ち抜き加工し、φ３．５ｍｍの薄い可動接点を製造した。
【００４７】
可動接点を製造したら、この可動接点にテスターのプローブを直接接触させて抵抗値の最大値、最小値、平均値を測定・評価し、表１にまとめた。この際、プローブの間隔は３ｍｍに設定した。
測定の結果、可動接点の抵抗値は、最大値が９．９Ω、最小値が４．２Ω、平均値が７．１Ωであり、良好な結果を得た。
【００４８】
〔実施例２〕
ポリフェニレンスルフィド樹脂と黒鉛粒子の質量比を１：１３に変更し、その他は実施例１と略同様にしてφ３．５ｍｍの薄い可動接点を製造した。可動接点を製造したら、この可動接点にテスターのプローブを直接接触させて抵抗値の最大値、最小値、平均値を測定・評価し、表１にまとめた。この際、プローブの間隔は３ｍｍに設定した。
測定の結果、可動接点の抵抗値は、最大値が２．０Ω、最小値が１．５Ω、平均値が１．７Ωであり、きわめて良好な結果を得た。
【００４９】
〔実施例３〕
実施例１におけるφ３．５ｍｍの薄い可動接点を標準基板の電極に対向するよう搭載し、この可動接点に５００ｇの荷重を加えて抵抗値の最大値、最小値、平均値を測定・評価し、表１にまとめた。標準基板の電極は、櫛歯形の金メッキ電極とし、この金メッキ電極の幅を０．５ｍｍ、金メッキ電極のピッチを１．０ｍｍとした。
測定の結果、可動接点の抵抗値は、最大値が２．８Ω、最小値が１．７Ω、平均値が２．３Ωであり、良好な結果を得た。
【００５０】
〔比較例１〕
ポリフェニレンスルフィド樹脂の代わりに従来のシリコーンゴムを用い、このシリコーンゴムと黒鉛粒子の質量比を１：０．６とし、その他は実施例１と略同様にしてφ３．５ｍｍの薄い可動接点を製造した。可動接点を製造したら、この可動接点にテスターのプローブを直接接触させて抵抗値の最大値、最小値、平均値を測定・評価し、表１にまとめた。この際、プローブの間隔は３ｍｍに設定した。
測定の結果、可動接点の抵抗値は、最大値が５３．６Ω、最小値が４５．５Ω、平均値が５０．５Ωであった。
【００５１】
〔比較例２〕
比較例１におけるφ３．５ｍｍの薄い可動接点を標準基板の電極に対向するよう搭載し、この可動接点に５００ｇの荷重を加えて抵抗値の最大値、最小値、平均値を測定・評価し、表１にまとめた。標準基板の電極は、櫛歯形の金メッキ電極とし、この金メッキ電極の幅を０．５ｍｍ、金メッキ電極のピッチを１．０ｍｍとした。
測定の結果、可動接点の抵抗値は、最大値が１３．２Ω、最小値が９．１Ω、平均値が１１．２Ωであった。
【００５２】
【表１】
2019091627.tif 000003
【産業上の利用可能性】
【００５３】
本発明に係るコンタクトスイッチ及びその製造方法は、家電製品、計算機、自動車、情報関連機器等の製造分野で使用される。
【符号の説明】
【００５４】
１        弾性クリック体
２        被操作部
３        脚部
４        姿勢安定部
１０      回路基板
１１      電極（導電部）
２０      可動接点
２１      凹凸
２２      凹部
２３      凸部
２４      格子部
２５      円形部
２６      帯部
２７      導電層
Ｆ        指
【図１】
2019091627.tif 000004
【図２】
2019091627.tif 000005
【図３】
2019091627.tif 000006
【図４】
2019091627.tif 000007
【図５】
2019091627.tif 000008